(57)【要約】【課題】荷重による先部の垂れ下がり及び変形を防止し得る開閉扉の提供。【解決手段】壁に設けられた開口部の縦枠に、丁番を以て旋回自在に支持される開閉扉において、前記開口部を封じるパネル１とその縁部に装着され相連結して方形の枠を構成する縦枠材及び横枠材を具備して構成され、開閉扉の吊元側に装着された吊元側縦枠材８の下部に、当該吊元側縦枠材８及び丁番９と止めネジ４を以て連結固定される垂直片部５、及び当該垂直片部５に対して直角に伸びる水平片部６を具備したＬ字状のコーナー部材７を装着したことを特徴とする開閉扉。【選択図】      図１
2004238843.tif 000002
【特許請求の範囲】
【請求項１】
壁に設けられた開口部の縦枠に丁番を以て旋回自在に支持される開閉扉において、パネル（１）とその縁部に装着され相連結して方形の枠を構成する縦枠材及び横枠材を具備して構成され、開閉扉の吊元側に装着された吊元側縦枠材（８）の下部に、当該吊元側縦枠材（８）及び丁番（９）と止めネジ（４）を以て連結固定される垂直片部（５）、及び当該垂直片部（５）に対して直角に伸びる水平片部（６）を具備したＬ字状のコーナー部材（７）を装着したことを特徴とする開閉扉。
【請求項２】
壁に設けられた開口部の縦枠に丁番を以て旋回自在に支持される開閉扉において、パネル（１）とその縁部に装着された縦枠材及び横枠材を具備して構成され、前記縦枠材及び横枠材はそれぞれ前記パネル（１）の最寄りの辺を連結箇所とし、開閉扉の吊元側に装着された吊元側縦枠材（８）の下部に、当該吊元側縦枠材（８）及び丁番（９）と止めネジ（４）を以て連結固定される垂直片部（５）、及び当該垂直片部（５）に対して直角に伸びる水平片部（６）を具備したＬ字状のコーナー部材（７）を装着したことを特徴とする開閉扉。
【請求項３】
壁に設けられた開口部の縦枠に丁番を以て旋回自在に支持される開閉扉において、パネル（１）とその縁部に装着された縦枠材及び横枠材を具備して構成され、開閉扉の吊元側に装着された吊元側縦枠材（８）は、その上部及び下部に装着されたＬ字状コーナー部材（７）を介して、前記パネル（１）の最寄りの縦辺に隣接した二つの横辺のみを連結箇所として当該パネル（１）と固定され、前記Ｌ字状コーナー部材（７）は、前記吊元側縦枠材（８）及び丁番（９）と止めネジ（４）を以て連結固定される垂直片部（５）と、当該垂直片部（５）に対して直角に伸び前記横枠材（３）に止めネジ（４）を以て連結固定される水平片部（６）を具備することを特徴とする開閉扉。
【発明の詳細な説明】
【０００１】
【発明の属する技術分野】
本発明は、丁番にて窓又は出入り口等を開閉する扉の構造に関するものである。
【０００２】
【従来の技術】
従来、扉の外縁は、二本の縦枠材と上下横枠材とを方形状に組み合わせて構成されており（例えば、特許文献１参照）、相組合わさった枠材の連結部を補強すべくＬ字状のコーナー金具が付設された扉も紹介されている（例えば、特許文献２及び３参照）。又、開閉扉の内部に、丁番の障子連結部材と連結され且つドアクローザーの障子連結部材を兼ねた金属製の取り付け座を設けた開閉扉が開示されている（例えば、特許文献４及び５参照）。
【０００３】
【特許文献１】
実開平１−９８８９４号公報
【特許文献２】
実開平２−１４１０９０号公報
【特許文献３】
実開平６−４０２８４号公報
【特許文献４】
実公平６−４５５９１号公報
【特許文献５】
実公平７−２９２８号公報
【０００４】
【発明が解決しようとする課題】
しかしながら、上記従来の扉構造では、丁番の障子連結板の長さは、扉との連結に必要な最小限の長さとなっており、前記の如く扉の枠に付設されたＬ字状のコーナー金具も、当該丁番とは独立して存在し縦枠材と横枠材の連結に必要最小限の寸法しか与えられて居なかった、そのため、近年扉が大きくなる傾向の下、その荷重に耐えきれず扉の先部が垂れ下がったり、扉自体が変形する場合があった。又、前記特許文献４及び５の従来例にあっては、丁番の障子連結板と連結される構造を採ってはいるものの、当該例で採用されている取り付け座は、ドアクローザーの障子連結部材を兼ねていることから、障子連結部材たる前記取り付け座の比較的大きな荷重が開き扉の取り付け荷重に加わり、扉の垂れ下がりや変形の原因ともなり得る。また、ドアクローザーの壁設置部材の取り付け位置との関係で、当該扉における丁番の取り付け箇所が制限されるという問題もある。
【０００５】
本発明は、上記実情に鑑みて成されたものであって、荷重による先部の垂れ下がりや変形を防止し得る開閉扉の提供を目的とする。
【０００６】
【課題を解決するための手段】
上記課題を解決するために為された本発明による開閉扉は、壁に設けられた開口部の縦枠に丁番を以て旋回自在に支持される開閉扉において、パネルとその縁部に装着され相連結して方形の枠を構成する縦枠材及び横枠材を具備して構成され、開閉扉の吊元側に装着された吊元側縦枠材の下部に、当該吊元側縦枠材及び丁番と止めネジを以て連結固定される垂直片部、及び当該垂直片部に対して直角に伸びる水平片部を具備したＬ字状のコーナー部材を装着したことを特徴とする。
【０００７】
壁に設けられた開口部の縦枠に丁番を以て旋回自在に支持される開閉扉において、パネルとその縁部に装着された縦枠材及び横枠材を具備して構成され、前記縦枠材及び横枠材はそれぞれ前記パネルの最寄りの辺を連結箇所とし、開閉扉の吊元側に装着された吊元側縦枠材の下部に、当該吊元側縦枠材及び丁番と止めネジを以て連結固定される垂直片部、及び当該垂直片部に対して直角に伸びる水平片部を具備したＬ字状のコーナー部材を装着した構造としても良い。前記Ｌ字状コーナー部材を、その水平片部が前記横枠材に、更にはパネルに止めネジを以て連結固定される構造としても良い。この様な構成を採ることによって、前記Ｌ字状コーナー部材の連結が強固となり、開閉扉の変形を防止し保形作用を高めることができる。
【０００８】
尚、前記壁に設けられた開口部とは、内壁、外壁を問わず、躯体に設けられた出入口或いは窓などである。前記最寄りの辺とは、枠材が実際に装着される辺の一帯を指す。連結箇所とは、接着箇所或いは止め付け箇所が存在する箇所を指す。吊元側の縦枠材とは、開閉扉を前記開口部の縦枠に開閉自在に取り付けるべく丁番が固定されている側の扉の縁部を縦に伸びる枠材である。又、枠材とは、扉の縁部に装着されるものを総称したものであって、その目的が補強であるか装飾であるかを問わない。
【０００９】
前記開閉扉は、壁に設けられた開口部の縦枠に丁番を以て旋回自在に支持されるに際し、現場において現実の開口部に合わせてパネルの幅を切り詰めることが出来れば極めて都合が良い。ところが、従来の開閉扉、殊に内部に断熱材を充填したタイプの開閉扉は、製造工程上、パネルとその縁部に装着される縦枠材及び横枠材が一体的に固定されていた為に、現実の開口部の寸法に合わせて切り詰める事が困難であった。
【００１０】
そこで、そのような問題点をも解消すべく、壁に設けられた開口部の縦枠に丁番を以て旋回自在に支持される開閉扉において、パネルとその縁部に装着された縦枠材及び横枠材を具備して構成され、開閉扉の吊元側に装着された吊元側縦枠材は、その上部及び下部に装着されたＬ字状コーナー部材を介して、前記パネルの最寄りの縦辺に隣接した二つの横辺のみを連結箇所として当該パネルと固定され、前記Ｌ字状コーナー部材は、前記吊元側縦枠材及び丁番と止めネジを以て連結固定される垂直片部と、当該垂直片部に対して直角に伸び前記横枠材に止めネジを以て連結固定される水平片部を具備する構成を採る場合もある。又、前記Ｌ字状のコーナー部材の垂直片部を、開閉自在な障子連結板としてコーナー部材自体に丁番の構造を持たせることも可能であり、止めネジを釘に置き換える事も可能である。
【００１１】
【発明の実施の形態】
以下、本発明による開閉扉の実施の形態を図面に基づき説明する。
図１に示す開閉扉は、図６（イ）の如く方形状のパネル１と、該パネル１の周縁に組み付ける枠材８，２，３とから構成された第一の実施の形態を示したものである。
【００１２】
当該例は、前記開口部を封じるべく、方形に裁断された一枚のガラスパネル１と、その縁部に装着され相連結して方形の枠を構成する縦枠材及び横枠材を具備して構成され、開閉扉の吊元側に装着された吊元側縦枠材８の下部に、当該吊元側縦枠材８及び丁番９と止めネジ４を以て連結固定される垂直片部５、及び当該垂直片部５に対して直角に伸びる水平片部６を具備したＬ字状のコーナー部材７を装着した開閉扉である。
【００１３】
当該例における縦枠材８，２は、断面が方形状を呈する中空のアルミ製の押し出し材であり、当該縦枠材８，２には、図１（ニ）に示すように、当該パネル１の側端部を挟む一対の挟持鍔２８，２８が前記パネル１の厚みより僅かに広い程度の間隔を隔てて先端面を向き合わせたく字状に凸設されている。当該一対の挟持鍔２８，２８に挟まれた挟持溝２９へ前記パネル１がシール材（図示省略）を介して精度良く取り付けられることとなる。
【００１４】
同縦枠材８，２のうちの吊元側の縦枠材８にあっては、前記挟持鍔２８が設けられた面の反対側に当たる吊元側の面には一対の外鍔３０，３０が形成され、当該一対の外鍔３０，３０の間に形成された空間に、丁番９の障子連結板９ａが収納されることとなる。又、同縦枠材８の内面における吊元側の面は、Ｌ字状のコーナー部材７の座りが良いように平坦に成形されており、当該平坦な面にコーナー部材７をあてがうことによって、当該コーナー部材７が精度良く取り付けられることとなる。
【００１５】
一方、開放端側の縦枠材２にあっては、前記挟持鍔２８が設けられた面の反対側に当たる開閉扉の先端側の面に先鋭な部分を取り除く表面加工やシール手段の付設が適宜施されている。尚、前記縦枠材８，２は合成樹脂製であっても良い。
【００１６】
前記上横枠材３及び下横枠材３は、図１（ロ）に示すように、断面が各々Ｈ状を呈した内枠部３１と比較的幅の広い外枠部３２とを上下に一体的に連結した断面形状を有するアルミニウム製の押し出し材であり、それぞれ前記パネル１の上縁部及び下縁部が嵌る溝３３が形成されている。
【００１７】
当該例においては、前記一対の縦枠材８，２の上下端部の側縁に、それぞれ前記上横枠材３及び下横枠材３の端面が当接した状態で方形の枠を形成し（図６（イ）参照）、前記上下横枠材３の端面に形成されたネジ孔に、前記縦枠材８，２の上下端部に設けられた前記横枠材３，３のネジ孔と向き合う孔を通して止めネジ４ａ，４ａを固定する（図１（ハ）参照）ことによって前記縦枠材８，２、横枠材３，３、及びパネル１を、前記の如く方形の扉として一体化させ、前記方形の枠における吊元側の下隅の連結部にＬ字状のコーナー部材７を止めネジ４で固定することにより補形する手法を採っている。
【００１８】
当該例におけるＬ字状のコーナー部材７は、ステンレスや鉄等の比較的強固な金属製の平棒をＬ字状に成型し、且つ扉を十分に補形し得る強度をもたせるべく適当な厚みが与えられている。また、前記コーナー部材７は、扉のコーナーから縦枠材８における丁番９の取り付け位置に至る長さの垂直片部５が必要であり、同コーナー部材７の水平片部６にあっても、当該コーナー部材７の補形機能を、扉の吊元側から開放端側への出来るだけ広い領域にまで及ぼし得る長さに設定されている。
【００１９】
当該Ｌ字状のコーナー部材７は、縦枠材８に止めネジ４を以て固定されるためのネジ孔が設けられた垂直片部５、及び下横枠材３に止めネジ４を以て固定される為の通し孔が設けられた水平片部６を具備し（図１（イ）（ハ）参照）、前記垂直片部５にあっては、方形状を呈する縦枠材８の中空部に挿通され内面に形成された平坦面にその背面をあてがって当該縦枠材８に止めネジ４ｅで固定する一方、前記水平片部６にあっては、前記Ｈ状を呈した外枠部３２の断面によって形成される外溝３４に収容され、当該下横枠材３に設けられたネジ孔に止めネジ４ｇで固定される。
【００２０】
この様な枠材の連結構造によって、四隅の連結部においては、相連結される縦枠材８，２の側面と上下横枠材３，３の端面とが密着状態となり、当該横枠材３，３と前記縦枠材８，２とがなす角度を直角に設定され、更に、前記Ｌ字状のコーナー部材７の水平片部６が下横枠材３に連結され、当該下横枠材３を介して開閉扉の重量を下方から支えることによって、当該開閉扉の形状及び支持状態をより強固に保持することができる。
【００２１】
そして、当該開閉扉と丁番９の障子連結板９ａが、当該縦枠材８の吊元側端面片を介してコーナー部材７の垂直片部５に止めネジ４ｆで固定され、壁に設けられた開口部の縦枠に丁番９を以て旋回自在に支持される開閉扉が形成される。尚、前記横枠部材３と吊元側縦枠材８との間に十分な連結強度を形成することが可能な場合には、前記水平片部６と横枠材３との連結は必ずしも必要ではなく、当該水平片部６を枠材間の連結機能も持たない下支え材として用いることもできる。
【００２２】
図２乃至図４に示す開閉扉は、前記開口部を封じるパネル１とその縁部に装着された縦枠材及び横枠材を具備して構成され、前記縦枠材及び横枠材はそれぞれ前記パネル１の最寄りの辺を連結箇所とし、開閉扉の吊元側に装着された吊元側縦枠材８の下部に、当該吊元側縦枠材８及び丁番９と止めネジ４を以て連結固定される垂直片部５、及び当該垂直片部５に対して直角に伸びる水平片部６を具備したＬ字状のコーナー部材７を装着した開閉扉である。
【００２３】
図２に示す開閉扉は、図６（ロ）の如く方形状のパネル１と、該パネル１の周縁に組み付ける枠材８，２，３とから構成された第二の実施の形態を示したものである。当該例におけるパネル１は、方形状に枠組みされた芯材２６と、当該パネル１の表面及び裏面にそれぞれ接着される同形状の二枚の表装板１０，１０とから構成される。
【００２４】
また、当該例における吊元側縦枠材８は、図２（ニ）に示すように、Ｈ字状の水平辺中央部が凹んだ断面形状を持つアルミニウム製押し出し材であり、当該縦枠材８には、当該パネル１の側端部の表裏化粧面（パネル１に貼り付けられた表装板１０，１０の表面）を挟む一対の挟持鍔１１，１１が前記パネル１の厚み程度の間隔を隔ててＨ字状の水平辺にあたる横架部２７の両端から凸設されていると共に、前記横架部２７の中央部には前記Ｌ字状の補強コーナー部材７を収納する凹部３９が設けられている。
【００２５】
更に、前記挟持鍔１１，１１が設けられた面の反対側に当たる吊元側の面には、前記Ｌ字状の補強コーナー部材７を収納する凹部３９が形成されたことによる直線的な凸条１９が当該縦枠材８の長手方向に沿って一様に形成されており、更に、その両側方には、前記障子連結板９ａに連結固定する際の支持姿勢を安定させるべく、横架部２７の端部から前記凸条１９と等しい高さを持つ支持条２０，２０が当該縦枠材８の長手方向に沿って直線的に凸設されている。
【００２６】
一方、開放端側の縦枠材２にあっては、前記挟持鍔１１が設けられた面の反対側に当たる開閉扉の先端側の面には、前記吊元側縦枠材８とは異なる構成が与えられている。即ち、前記障子連結板９ａに連結固定する際の支持姿勢を安定させる措置に換えて先鋭な部分を取り除く表面加工やシール手段（図示省略）の付設が適宜施されている。
【００２７】
前記上横枠材３及び下横枠材３は、断面が略Ｈ状を呈したアルミニウム製の押し出し材であり、その形状により枠材の側壁を兼ねて枠材内側に形作られる一対の挟持鍔２２，２２に挟まれた溝２３が形成され、当該溝２３に、それぞれ前記パネル１の上縁部及び下縁部が嵌る様にされている。
【００２８】
当該例においては、開閉扉の縦枠材８，２、上横枠材３及び下横枠材３が、それぞれ前記パネル１が組み付けられた端面に対してビス止め（図示省略）され、その結果、前記縦枠材８，２の上下端部の側縁に、それぞれ前記上横枠材３及び下横枠材３の端面が当接した状態でロ字状の枠が形成され、当該枠の内側に形成された挟持鍔１１，１１、２２，２２に沿って前記パネル１が装填されることとなる。
【００２９】
また、前記吊元側縦枠材８は、その下部に取り付けられるＬ字状のコーナー部材７を介して下横枠材３、並びに前記パネル１と固定され、保形用或いは保持用の補強が為される。
【００３０】
当該例におけるＬ字状のコーナー部材７は、ステンレスや鉄等の比較的強固な金属製の平棒をＬ字状に成型し、且つ扉を十分に補形し得る強度をもたせるべく適当な厚みが与えられている。また、前記コーナー部材７は、扉のコーナーから吊元側縦枠材８における丁番９の取り付け位置に至る長さの垂直片部５が必要であり、同コーナー部材７の水平片部６にあっても、当該コーナー部材７の補形機能を、扉の吊元側から開放端側への出来るだけ広い領域にまで及ぼし得る長さに設定されている。
【００３１】
当該Ｌ字状コーナー部材７には、当該吊元側縦枠材８を止めネジ４ｅを以て固定する為の通し孔、及び丁番９の障子連結板９ａと止めネジ４ｆを以て連結固定する為のネジ孔が設けられた垂直片部５と、前記横枠材３を挟んでパネル１の下端面に止めネジ４ｇを以て連結固定する為の通し孔が設けられている。
【００３２】
当該第二の実施の形態におけるＬ字状のコーナー部材７は、前記垂直片部５にあっては、吊元側縦枠材８の横架部２７の中央部に設けられた凹部３９に装填され、前記丁番９の障子連結板９ａに設けられた通し孔、及び前記吊元側縦枠材８における凹部３９の底壁（凸条１９の頂壁）に設けられた通し孔にそう通された止めネジ４ｆが、前記垂直片部５に形成されたネジ孔と螺合されることによって当該吊元側縦枠材８及び丁番９と一体化し、更に、前記丁番９の障子連結板９ａに設けられた通し孔を通さずに、前記吊元側縦枠材８における凹部３９の底壁に設けられた通し孔、及び前記垂直片部５に設けられた通し孔を通してパネル１の側端（芯材２６）に止めネジ４ｅとが螺合することによって連結強度が高められている。
【００３３】
前記横枠材３にあっては、Ｌ字状コーナー部材７の水平片部６は前記Ｈ状の断面によって形成される外溝２５に収容され、上記の如く、前記横枠材３に設けられた通し孔にそう通された止めネジ４ｇを、当該横枠材３を挟んでパネル１の端面（芯材２６）に螺合することで連結固定されることにより保形される。
【００３４】
図３は、芯材２６がコ字状のスチール製である場合を示す。当該例におけるパネル１は、方形状に枠組みされたスチールからなる芯材２６と当該パネル１の表面及び裏面を覆う二枚の表装板１０，１０と、当該表装板１０，１０の間に介在する充填物とから構成される。尚、縦枠材８，２、横枠材３，３並びにＬ字状コーナー部材７の取り付けは、上記木製の芯材２６を用いた場合と同様である。
【００３５】
図４に示す開閉扉は、図６（ハ）の如く、方形状のパネル１と、当該パネル１の周縁外部側に組み付ける縦枠材８，２と、当該パネル１の周縁内部側に組み付ける横枠材３，３とから構成された第三の実施の形態を示したものである。
【００３６】
当該例は断熱用の開閉扉であって、当該例におけるパネル１は、当該パネルの表面及び裏面を覆う表裏二枚の表装板１０，１０と、表装板１０，１０の間にあって表装板１０，１０の間の縦辺縁部に組み付けられる縦芯材２６ｖと、当該芯材２６ｖの内側に組み込まれる補強材１８及び前記横枠材３，３の内側に組み込まれる補強材１８と、当該表装板１０，１０の間に介在する充填物とから構成される。
【００３７】
前記パネル１は、予め前記芯材２６ｖ，２６ｖのπ状の断面によって形成される内溝及び前記横枠材３，３のＨ状の断面によって形成される内溝に、当該パネル１の一部として上下縁部の連結強度を補強する為の断面コの字状を呈する補強材１８を嵌装した後に、前記表装板１０，１０の上縁及び下縁、並びに左右側縁に沿って縦芯材２６ｖ及び横枠材３，３を接着により組み付けることで前記表装板１０，１０の間に密閉空間を形成し、更に、断熱効果に優れた発泡ポリエチレン、或いは断熱発泡ウレタンを注入発泡させる形で充填し、且つ当該充填物の接着力によって当該充填物と前記芯材２６ｖ及び横枠材３並びに補強材１８及び表装板１０，１０を一体化させたものである。尚、前記芯材２６ｖは合成樹脂製で、補強材１８はスチール製である。
【００３８】
当該例における縦枠材８，２は、合成樹脂製又はアルミ製の押し出し材であり、当該縦枠材８，２には、図４（ニ）に示すように、当該パネル１の側端部の表裏化粧面（パネル１に貼り付けられた表装板１０の表面）に当接して連結時の位置決めを図った鍔３５が横架部２７の支承部側端部から当該縦枠材８，２の長さ一杯に亘って僅かに凸設されていると共に、前記横架部２７の中央部には前記Ｌ字状の補強コーナー部材７を収納する凹部３９が設けられている。
【００３９】
更に、前記鍔３５が設けられた面の反対側に当たる吊元側の面には、前記Ｌ字状の補強コーナー部材７を収納する凹部３９が形成されたことによる直線的な凸条１９が当該縦枠材８の長手方向に沿って一様に形成されており、更に、その両側方には、前記障子連結板９ａに連結固定する際の支持姿勢を安定させるべく、横架部２７の端部から前記凸条１９と等しい高さを持つ支持条２０，２０が当該縦枠材８の長手方向に沿って直線的に凸設されている。
【００４０】
一方、開放端側の縦枠材２にあっては、前記鍔３５が設けられた面の反対側に当たる開閉扉の先端側の面には、前記吊元側縦枠材８とは異なる構成が与えられている。即ち、前記障子連結板９ａに連結固定する際の支持姿勢を安定させる措置に換えて先鋭な部分を取り除く表面加工やシール手段（図示省略）の付設が適宜施されている。
【００４１】
前記上横枠材３及び下横枠材３は、前記の如く断面が略Ｈ状を呈した合成樹脂製の押し出し材であり、その形状により枠材の側壁を兼ねて枠材内側に形作られる一対の支え鍔３６，３６に挟まれた溝３７が形成され、当該溝３７に、それぞれ前記補強材１８が嵌る様にされている。
【００４２】
当該例においては、開閉扉の縦枠材８，２が、それぞれ前記パネル１が組み付けられた端面に対してビス止め（図示省略）され、上横枠材３及び下横枠材３がパネル１の内部において当該パネルの上下縁を支える枠として接着されている。
【００４３】
また、前記吊元側縦枠材８は、前記パネル１の吊元側の端面（補強材１８）に止めネジ４ｅによって直接連結されると共に、その下部に取り付けられるＬ字状のコーナー部材７を介して下横枠材３、並びに前記パネル１と固定され、保形用或いは保持用の補強が為される。
【００４４】
当該例におけるＬ字状のコーナー部材７の素材や構造は、先に示した実施の形態に用いたものと同様である。当該例のＬ字状コーナー部材７には、パネル１や吊元側縦枠材８、或いは横枠材３に連結固定する為の通し孔が適宜設けられている。
【００４５】
当該第三の実施の形態におけるＬ字状のコーナー部材７は、前記垂直片部５にあっては、吊元側縦枠材８に設けられた凹部３９に装填され、前記丁番９の障子連結板９ａに設けられた通し孔、及び前記吊元側縦枠材８における前記凹部３９の底壁に設けられた通し孔に挿通された止めネジ４ｆが、当該垂直片部５に形成されたネジ孔と螺合されることによって当該吊元側縦枠材８及び丁番９並びにパネル１と一体化し、更に、前記丁番９の障子連結板９ａに設けられた通し孔を通さずに、前記吊元側縦枠材８における前記凹部３９の底壁に設けられた通し孔、及び前記垂直片部５に設けられた通し孔、並びにパネル１の内部の側端に組み付けられている前記縦芯材２６ｖに設けられた通し孔を経て、補強材１８に止めネジ４ｅが螺合することによって連結強度が高められている。
【００４６】
前記水平片部６にあっては、前記Ｈ状の断面によって形成される外溝４０に収容され、上記の如く、前記横枠材３に設けられた通し孔にそう通された止めネジ４ｇを、当該横枠材３を挟んでパネル１の端面、即ち、当該パネル１の内部の下端に組み付けられ、前記横枠材３の溝３７に嵌装されている補強材１８に螺合することで連結固定されることにより保形される。
【００４７】
図５に示す開閉扉は、図６（ハ）の如く方形状のパネル１と、該パネル１の周縁に組み付ける枠材２，３並びに組立後において分離可能な吊元側縦枠材８とから構成された第４の実施の形態を示したものであって、前記吊元側縦枠材８は、その上部及び下部に装着されたＬ字状コーナー部材７を介して、前記パネル１の最寄りの縦辺に隣接した二つの横辺のみを連結箇所として当該パネル１と固定され、前記Ｌ字状コーナー部材７は、前記吊元側縦枠材８及び丁番９と止めネジ４を以て連結固定される垂直片部５と、当該垂直片部５に対して直角に伸び前記横枠材３に止めネジ４を以て連結固定される水平片部６を具備する開閉扉である。
【００４８】
当該例におけるパネル１は、当該パネルの表面及び裏面を覆う表裏二枚の表装板１０，１０と、表装板１０，１０の間にあって表装板１０，１０の間の縦辺縁部に組み付けられる縦芯材２６ｖと、前記横枠材３，３の内側に組み込まれる補強材１８と、前記表装板１０，１０の間に介在する充填物とから構成される。尚、開放端側の縦芯材２６ｖの内溝には、補強材１８が組み込まれている。
【００４９】
前記パネル１は、予め、前記横枠材３，３のＨ状の断面によって形成される内溝１６に、当該パネル１の一部として開放端側の縦縁部及び上下縁部の連結強度を補強する為の断面コの字状を呈する補強材１８を嵌装した後に、前記表装板１０，１０の上縁及び下縁、並びに左右側縁に沿って縦芯材２６ｖ及び芯材としての機能をも担った横枠材３，３を接着により組み付けることで前記表装板１０，１０の間に密閉空間を形成し、更に、断熱効果に優れた発泡ポリエチレン、或いは断熱発泡ウレタンを注入発泡させる形で充填し、且つ当該充填物の接着力によって当該充填物と前記芯材２６ｖ及び横枠材３並びに補強材１８及び表装板１０，１０を一体化させたものである。尚、前記縦芯材２６ｖは合成樹脂製で、補強材１８はスチール製である。
【００５０】
尚、前記パネル１の素材としては、上記した他にもアルミニウム、塩化ビニル樹脂等の合成樹脂や、パルプ紙、再生紙等の紙類、或いは自然木を用いることが出来る。
【００５１】
当該例における吊元側縦枠材８は、断面が方形状を呈する中空のアルミ製の押し出し材であり、当該縦枠材８には、図５（ニ）に示すように、当該パネル１の側端部の表裏化粧面（パネル１に貼り付けられた表装板１０の表面）を挟む一対の挟持鍔１１，１１が前記パネル１の厚み程度の間隔を隔てて凸設されている。当該一対の挟持鍔１１，１１に挟まれた挟持溝１２へ前記パネル１が精度良く取り付けられることとなる。
【００５２】
前記縦枠材８，２のうちの吊元側の縦枠材８にあっては、前記挟持鍔１１が設けられた面の反対側に当たる吊元側の面には、側端面の縁部に丸みを持たせるべく、先窄まりとなる形で湾曲した一対の外鍔１３，１３が形成され、当該一対の鍔の間に形成された空間に、丁番９の障子連結板９ａが、当該縦枠材８の吊元側端面との間に介在するスペーサ１４と共に収納されることとなる。又、同縦枠材８の内面における吊元側の面には、Ｌ字状のコーナー部材７を位置決めする凸条１５が、当該縦枠材８の長手方向に沿って直線的に形成されており、当該凸条１５にＬ字状のコーナー部材７をあてがうことによって、当該コーナー部材７が精度良く取り付けられることとなる。
【００５３】
一方、開放端側の縦枠材２にあっては、断面がＨ状のアルミ製の押し出し材であり、当該パネル１の側端部の表裏化粧面を挟む一対の挟持鍔が前記パネル１の厚み程度の間隔を隔てて凸設されている。当該一対の挟持鍔に挟まれた挟持溝へ前記パネル１が精度良く取り付けられることとなる（図示省略）。又、前記挟持鍔が設けられた面の反対側に当たる開閉扉の先端側の面に先鋭な部分を取り除く表面加工やシール手段の付設が適宜施されている。そして、パネル１の側端面に対してネジ止めされている。尚、前記縦枠材８，２は、合成樹脂製であってもよい。
【００５４】
前記上横枠材３及び下横枠材３は、図５（ロ）に示すように、断面がＨ状を呈した合成樹脂製又はアルミニウム製の押し出し材であり、それぞれ前記パネル１の上縁部及び下縁部が嵌る溝１６が形成されている。また、外側には、パネル１の上下端を開放する外溝１７が形成されている。前記吊元側縦枠材８は、その上部及び下部に取り付けられるＬ字状のコーナー部材７を介して、前記パネル１と一体化が為され、開閉扉を構成している。吊元側の上隅及び下隅の連結部にＬ字状のコーナー部材７を止めネジ４で固定することにより補形する手法を採っている。
【００５５】
当該例におけるＬ字状のコーナー部材７は、ステンレスや鉄等の比較的強固な金属製の平棒をＬ字状に成型し、且つ扉を十分に補形し得る強度をもたせるべく適当な厚みが与えられている。また、前記コーナー部材７は、扉のコーナーから縦枠材８における丁番９の取り付け位置に至る長さの垂直片部５が必要であり、同コーナー部材７の水平片部６にあっても、当該コーナー部材７の補形機能を、扉の吊元側から開放端側への出来るだけ広い領域にまで及ぼし得る長さに設定されている。
【００５６】
当該Ｌ字状のコーナー部材７は、縦枠材８に止めネジ４を以て固定されるためのネジ孔が設けられた垂直片部５、及び上横枠材３及び下横枠材３に止めネジ４を以て固定される為の通し孔が設けられた水平片部６を具備し（図５参照）、前記垂直片部５にあっては、縦枠材８の中空部に挿通され内面に形成された前記凸条１５に前記垂直片部５の側面をあてがって当該縦枠材８に止めネジ４ｂで固定する一方、前記水平片部６にあっては、前記Ｈ状の断面によって形成される外溝１７に収容され、当該上横枠材３、下横枠材３、及びその内側に嵌り込み前記パネル１の上縁部又は下縁部として存在する前記補強材１８に設けられたネジ孔に止めネジ４ｃで固定される。
【００５７】
前記Ｌ字状のコーナー部材７の水平片部６が上横枠材３及び下横枠材３に連結され、下横枠材３を介して開閉扉の重量を下方から支え、当該上横枠材３を介して開閉扉の姿勢を鉛直な起立状態に規制することによって、当該開閉扉の形状及び支持状態を保持することができる。そして、当該開閉扉と丁番９の障子連結板９ａが、当該縦枠材８の吊元側端面との間に介在するスペーサ１４及び吊元側縦枠材８を介してＬ字状のコーナー部材７の垂直片部５への螺号を以て止めネジ４ｄで固定され、壁に設けられた開口部の縦枠に丁番９を以て旋回自在に支持される開閉扉が形成される。
【００５８】
上記の如く、当該第四の実施の形態にあっては、前記吊元側縦枠材８とパネル１との直接的な縁が切られているので、前記吊元側縦枠材８は、前記パネル１の上下端部を固定する止めネジ４ｃを外せば容易にパネル１から取り外し、パネル１の幅寸法や、横枠材の長手寸法を調節、切り詰めすることが可能となる。本実施例では縦枠材８，２はアルミ製としたが、合成樹脂製、又はアルミと合成樹脂を結合したものでもよい。
【００５９】
【発明の効果】
以上のごとく本発明による開閉扉によれば、Ｌ字状のコーナー部材といった扉の最下支持部と丁番とを直に連結した構成によって、比較的大きな扉であっても、その荷重に耐えきれず扉の先部が垂れ下がったり、扉自体が変形することを有効に防止することができる。
【００６０】
また、開閉扉の吊元側に装着された吊元側縦枠材が、その上部及び下部に装着されたＬ字状コーナー部材を介して、前記パネルの最寄りの縦辺に隣接した二つの横辺のみを連結箇所として当該パネルと固定された構造を採用することによって、枠材とパネルとを比較的容易に分解・組み立てすることが出来るので、建築現場において、間口サイズに合わせたパネルの切り詰め作業が手軽に行えることにもなる。
【図面の簡単な説明】
【図１】（イ）（ロ）（ハ）（ニ）
本発明による開閉扉の一例を示す（イ）：（ハ）のＡ矢視断面図、（ロ）：（ハ）のＢ矢視断面図、（ハ）：要部正面図（ニ）：（ハ）の横断面図及びその要部拡大図である。
【図２】（イ）（ロ）（ハ）（ニ）
本発明による開閉扉の一例を示す（イ）：（ハ）のＡ矢視断面図、（ロ）：（ハ）のＢ矢視断面図、（ハ）：要部正面図（ニ）：（ハ）の横断面図及びその要部拡大図である。
【図３】（イ）（ロ）（ハ）（ニ）
本発明による開閉扉の一例を示す（イ）：（ハ）のＡ矢視断面図、（ロ）：（ハ）のＢ矢視断面図、（ハ）：要部正面図（ニ）：（ハ）の横断面図及びその要部拡大図である。
【図４】（イ）（ロ）（ハ）（ニ）
本発明による開閉扉の一例を示す（イ）：（ハ）のＡ矢視断面図、（ロ）：（ハ）のＢ矢視断面図、（ハ）：要部正面図（ニ）：（ハ）の横断面図及びその要部拡大図である。
【図５】（イ）（ロ）（ハ）（ニ）
本発明による開閉扉の一例を示す（イ）：（ハ）のＡ矢視断面図、（ロ）：（ハ）のＢ矢視断面図、（ハ）：要部正面図（ニ）：（ハ）の横断面図及びその要部拡大図である。
【図６】（イ）（ロ）（ハ）
開閉扉の一般的な例を示した正面図ある。
【符号の説明】
１  パネル，２  縦枠材，３  横枠材，
４  止めネジ，５  垂直片部，６  水平片部，７  コーナー部材，
８  吊元側縦枠材，９  丁番，９ａ  障子連結板，
１０  表装板，１１  挟持鍔，１２  挟持溝，１３  外鍔，
１４  スペーサ，１５  凸条，
１６  溝，１７  外溝，１８  補強材，１９  凸条，
２０  支持条，  ２２  挟持鍔，２３  溝，２５  外溝，２６  芯材，
２７  横架部，２８  挟持鍔，２９  挟持溝，３０  外鍔，
３１  内枠部，３２  外枠部，３３  溝，３４  外溝，３５  鍔，
３６  支え鍔，３７  溝，３９  凹部，４０  外溝，
【図１】
2004238843.tif 000003
【図２】
2004238843.tif 000004
【図３】
2004238843.tif 000005
【図４】
2004238843.tif 000006
【図５】
2004238843.tif 000007
【図６】
2004238843.tif 000008